(57)【要約】【課題】製袋充填シール方法および装置によって形成されジッパの輪郭部材をフィンシール内に配設した再閉鎖可能なバッグを提供すること。【解決手段】前壁（２０）および後壁（２２）と、ジッパ（３０）とを具備した再閉鎖可能なバッグ（１０）において、ウェブシート（１００）を折り曲げて、前壁の中心部においてウェブシート（１００）の縁部（３２、３４）を合わせ、フィンシール（２４）内でジッパ（３０）に接合するようにした。【選択図】図１
2006219198.tif 000002
【特許請求の範囲】
【請求項１】
前壁および後壁と、
再閉鎖可能なジッパとを具備し、
ウェブシートを折り曲げて、前記前壁の中心部において前記ウェブシートの縁部を合わせ、フィンシールにおいて前記再閉鎖可能なジッパに接合するようにした再閉鎖可能なバッグ。
【請求項２】
前記ウェブシートの折曲げ部により形成された上縁部分と下縁部分とを含む請求項１に記載の再閉鎖可能なバッグ。
【請求項３】
前記前壁と後壁とを接合するサイドシール部を含む請求項２に再閉鎖可能なバッグ。
【請求項４】
前記ジッパが、噛合する第１と第２の輪郭部材と、各々第１と第２のフランジとを含む請求項１に記載の再閉鎖可能なバッグ。
【請求項５】
前記第１と第２のフランジが、前記フィンシールに接合される請求項４に記載の再閉鎖可能なバッグ。
【請求項６】
前記噛合する第１と第２の輪郭部材は前記フィンシールから突出している請求項１に記載の再閉鎖可能なバッグ。
【請求項７】
前記ジッパが、前記噛合する輪郭部材を開閉するスライダを含む請求項６に記載の再閉鎖可能なバッグ。
【請求項８】
前記噛合する輪郭部材は、前記フィンシール内で前記縁部に接合され、前記ジッパが前記フィンシールから実質的に突出しない請求項１に記載の再閉鎖可能なバッグ。
【請求項９】
前記ウェブシートが、前記縁部から内側で前記再閉鎖可能なジッパに接合され、前記縁部は、前記ジッパの上方で互いに接合されてシュラウドが形成される請求項１に記載の再閉鎖可能なバッグ。
【請求項１０】
前記シュラウドが、１または複数の脆弱線を含む請求項９に記載の再閉鎖可能なバッグ。
【請求項１１】
前記ジッパが、噛合する第１と第２の輪郭部材および各々第１と第２のフランジとを含み、前記フランジが前記ウェブシートに接合される請求項１０に記載の再閉鎖可能なバッグ。
【請求項１２】
前記ジッパが、前記噛合する輪郭部を開閉するスライダを含む請求項１１に記載の再閉鎖可能なバッグ。
【請求項１３】
前記再閉鎖可能なジッパが、ストリングジッパ(string zipper)である請求項１に記載の再閉鎖可能なバッグ。
【発明の詳細な説明】
【技術分野】
【０００１】
本発明は、水平型製袋充填シール（ＨＦＦＳ）法によって形成されたバッグであって、特に、フィンシール内にジッパを備えた再閉鎖可能なバッグに関する。
【背景技術】
【０００２】
シュラウド付きジッパまたは折曲げ部内に配設したジッパを備えた再閉鎖可能なバッグが従来技術で公知となっている。こうした従来技術の一例として、２００４年１０月５日にシュナイダー等に付与された米国特許第６７９９８９０号「不正開封防止機能を具えた再閉鎖可能なバッグ」、２００２年２月１９日にプローバンに付与された米国特許第６３４７４３７号「ジッパ、ジッパ配置およびその製造方法」、２０００年１０月３１日にマクマホーン等に付与された米国特許第６１３８４３９号「スライドジッパ付き再閉鎖可能なバッグを水平型製袋充填シール機で製造する方法」がある。
【０００３】
これらの技術は多くの点で満足のゆくものであるが、フィンシール内にジッパを配設したり、折曲げ部内にジッパを配設しながらフィンシールするようにすることが望ましい。
【０００４】
【特許文献１】米国特許第６７９９８９０号明細書
【特許文献２】米国特許第６３４７４３７号明細書
【特許文献３】米国特許第６１３８４３９号明細書
【発明の開示】
【発明が解決しようとする課題】
【０００５】
本発明の目的は、製袋充填シール方法および装置によって形成されジッパの輪郭部材をフィンシール内に配設した再閉鎖可能なバッグを提供することである。
【０００６】
本発明の更なる目的は、折曲げ部内にジッパを配設しながらフィンシールするようにした別の再閉鎖可能なバッグを提供することである。
【０００７】
本発明の更なる目的は、これらの目的を周知の確立された製袋充填シール装置、特に水平型製袋充填シール装置で達成することである。
【課題を解決するための手段】
【０００８】
これらの目的および他の目的は、フィンシール内、特に再閉鎖可能なバッグの前壁の中心に配置されたフィンシール内に輪郭部材とスライダとを備えた再閉鎖可能なバッグを提供することによって達成される。輪郭部材とスライダとは、得られる再閉鎖可能なバッグの前記輪郭部材とクリップとを露出させるように封止される。同様に、再閉鎖可能なバッグの輪郭部材とクリップとが、シュラウドまたはフィンシールによって包囲、密封するようにシールすることができる。この再閉鎖可能なバッグは、また、穿孔、レーザ加工、脆弱線等の方法を用いて、容易に開封可能とする構成を備えることができる。更に、ジッパの様式についても、ストリングジッパやフランジ付きの輪郭部材から成るジッパ等とすることもできる。
【０００９】
別の実施形態では、前壁の中心位置にフィンシールを形成しながら、ジッパおよびスライダを上折曲げ部内に配設することができる。確立された製袋充填シール装置を用いてスライダパッケージが形成され、更に、１／４折り様式や中心折り様式として知られるタイプとすることができる。
【発明を実施するための最良の形態】
【００１０】
以下、添付図面を参照して、本発明の好ましい実施形態を説明するが、添付図面において同様の構成要素には同じ参照符号が付されている。
図１は、再閉鎖可能なバッグ１０の平面図である。バッグ１０は、第１の折曲げ部より成る上縁部分（または左縁部分）１２、第２の折曲げ部より成る下縁部分（または右縁部分）１４、及び側縁部分１６、１８を具備している。上縁部分（左縁部分）１２および下縁部分（右縁部分）１４を形成する第１と第２の折曲げ部によって、再閉鎖可能なバッグ１０は単一のウェブシート１００から形成され、その結果、前壁２０および後壁２２が形成される（図２〜図５参照）。前壁２０の中心位置にウェブシート１００の縁部３２、３４からフィンシール２４が形成される。フィンシール２４内には、噛合する第１と第２の輪郭部材３６、３８から成るジッパ３０が形成されている。更に、図２、３に示すように、輪郭部材３２、３４にスライダ４４を取付け、当業者には周知となっているように、スライダ４４を第１の方向に移動させることにより輪郭部材３２、３４を互いに噛合させ、スライダ４４を第２の方向に移動させることにより輪郭部材３２、３４を互いに分離させるようにできる。
【００１１】
更に、図２は、ジッパ３０がフィンシール２４から突出し、かつ、スライダ４４がフィンシール２４から離間するように、縁部３２、３４に融着された第１と第２のフランジ４０、４２を示している。
【００１２】
図３は、縁部３２、３４からから内側に融着された第１と第２のフランジ４０、４２を示しており、これによって、縁部３２、３４は、ジッパ３０およびスライダ４４の上方に突出してシール部５４において融着され、以て、ジッパ３０およびスライダ４４を覆うシュラウドが形成される。線５０、５２で示すように、１または複数の脆弱線を典型的に設け、利用者がジッパ３０に接近できるようになっている。
【００１３】
図４は、フィンシール２４内で縁部３２、３４に融着された第１と第２のフランジ４０、４２を示している。図４の実施形態はスライダ４４を備えていないので、ジッパ３０の全体または実質的に全体がフィンシール２４内に収納される。
【００１４】
図５は代替実施形態を示しており、該実施形態では、縁部３２、３４を接合してジッパ３０を備えないフィンシール２４が形成される。然しながら、ジッパ３０は、上縁部分（左縁部分）１２を形成する折曲げ部内に配設されている。より詳細には、フランジ４０、４２は、バッグ１０を形成するウェブシート１００内において、上縁部分（左縁部分）１２の近傍に配設されている。線５０、５２で示すように、１または複数の脆弱線が典型的に設けられ、使用者がジッパ３０に接近できるようになっている。
【００１５】
図６は、水平型製袋充填シール装置１０００を示しており、ウェブシート１００がシート源１１０から供給されている。消費者製品２００がウェブシート１００上に配置される。折曲げ器１２０、１２２によってウェブシート１００の縁部３２、３４がジッパ３０に接せられる。ジッパ３０は、ジッパ源１３０からシーリングバー１４０の間に長手方向に供給され、シーリングバー１４０によってフィンシール２４が形成される。同様に、縁部３２、３４を互いに接近方向へ移動させることにより、上縁部分（左縁部分）１２と下縁部分（右縁部分）１４の折曲げ部が形成される。この形態では、ウェブシート１００の両外側１／４の部分が前壁２０を形成し、ウェブシート１００の長手の中心沿いの内側１／２の部分が後壁２２を形成する。その後、シーリングバー１５０によって、再閉鎖可能なバッグ１０の側縁部分１６、および、次の再閉鎖可能なバッグ１０の側縁部分を形成し、同様に隣接するバッグを順次形成する。
【００１６】
図５の実施形態の場合、ジッパ３０を上縁部分（左縁部分）１２の折曲げ部に隣接させて配置するために、ジッパ３０は、折曲げ部１２０、１２２から上流側に供給することができる。同様に、カッタまたはレーザ刻設機(laser scorer)を用いて脆弱線５０、５２を形成することができる。
【００１７】
図７、８は、シーリングバー１４０によって、縁部３２、３４に融着されるストリングジッパ８０の断面図であり、該ジッパは雄型輪郭部材８２および雌型輪郭部材８４を具備している。
【００１８】
図９、１０、１１は、ジッパ８０のようなスライダを備えないジッパを融着するためのシーリングバー１４０の種々の形態を示している。シーリングバー１４０によって形成されるシール部は、ジッパロックの上側またはジッパロックの上下両側あるいはその組合せとしてヒンジ部を形成することができる。
【００１９】
こうして、既述した目的、利点が最も効果的に達成される。本発明の好ましい実施形態を説明したが、本発明がこれに限定されず、特許請求の範囲によって決定されることは言うまでもない。
【図面の簡単な説明】
【００２０】
【図１】再閉鎖可能なバッグの平面図である。
【図２】図１の矢視線２−２に沿う断面図であり、フィンシール内に配設されたジッパと、露出したスライダとを備えた再閉鎖可能なバッグを示す図である。
【図３】図１の矢視線２−２に沿う代替実施形態の断面図であり、フィンシール内に配設されたジッパとを備え、フィンシールによってジッパおよびスライダを覆うシュラウドを形成した再閉鎖可能なバッグを示す図である。
【図４】図１の矢視線２−２に沿う代替実施形態の断面図であり、フィンシール内に配設されたジッパと、露出したスライダとを備えた再閉鎖可能なバッグを示す図である。
【図５】折曲げ部内にジッパおよびスライダを配設してシュラウドを形成し、かつ、フィンシールをバッグの中心部に形成した再閉鎖可能なバッグの更に他の代替実施形態の断面図である。
【図６】本発明の再閉鎖可能なバッグを形成する水平型製袋充填シール装置の平面図である。
【図７】ストリングジッパの断面図である。
【図８】ストリングジッパの断面図である。
【図９】フィンシールへのスライダを備えないジッパの融着方法の種々の形成を示す図である。
【図１０】フィンシールへのスライダを備えないジッパの融着方法の種々の形成を示す図である。
【図１１】フィンシールへのスライダを備えないジッパの融着方法の種々の形成を示す図である。
【符号の説明】
【００２１】
１０    再閉鎖可能なバッグ
１２    上縁部分
１４    下縁部分
１６    側縁部分
１８    側縁部分
２０    前壁
２２    後壁
２４    フィンシール
３０    ジッパ
３２    縁部
３４    縁部
３６    第１の輪郭部材
３８    第２の輪郭部材
４４    スライダ
１００    ウェブシート
【図１】
2006219198.tif 000003
【図２】
2006219198.tif 000004
【図３】
2006219198.tif 000005
【図４】
2006219198.tif 000006
【図５】
2006219198.tif 000007
【図６】
2006219198.tif 000008
【図７】
2006219198.tif 000009
【図８】
2006219198.tif 000010
【図９】
2006219198.tif 000011
【図１０】
2006219198.tif 000012
【図１１】
2006219198.tif 000013